(57)【要約】【課題】早期に車室内の除湿不要判断を行って除湿モードから暖房モードに迅速に移行し、消費電力の削減を図ることができる車両用空気調和装置を提供する。【解決手段】制御装置が圧縮機２から吐出された冷媒を放熱器で放熱させ、減圧した後、室外熱交換器７で吸熱させる暖房モードと、冷媒を放熱器には流さず、室外熱交換器に流して放熱させ、減圧した後、吸熱器９で吸熱させ、補助ヒータ２３を発熱させる除湿モードを実行する。吸熱器吸込空気温度Ｔｅｖａｉｎが、目標吸熱器温度ＴＥＯより低くなったことに基づき、除湿モードから暖房モードに移行する。【選択図】図１
2019031226.tif 000002
【特許請求の範囲】
【請求項１】
冷媒を圧縮する圧縮機と、
車室内に供給する空気が流通する空気流通路と、
冷媒を吸熱させて前記空気流通路から前記車室内に供給する空気を冷却するための吸熱器と、
前記空気流通路の空気の流れに対して前記吸熱器の風下側に設けられ、冷媒を放熱させて前記空気流通路から前記車室内に供給する空気を加熱するための放熱器と、
車室外に設けられた室外熱交換器と、
前記空気流通路から前記車室内に供給する空気を加熱するための補助加熱装置と、
制御装置を備え、
該制御装置により、前記圧縮機から吐出された冷媒を前記放熱器にて放熱させ、放熱した当該冷媒を減圧した後、前記室外熱交換器にて吸熱させる暖房モードと、
前記圧縮機から吐出された冷媒を前記放熱器には流さず、前記室外熱交換器に流して放熱させ、放熱した当該冷媒を減圧した後、前記吸熱器にて吸熱させると共に、前記補助加熱装置を発熱させる除湿モードを切り換えて実行する車両用空気調和装置において、
前記制御装置は、前記吸熱器に流入する空気の温度である吸熱器吸込空気温度Ｔｅｖａｉｎが、前記吸熱器の温度Ｔｅの目標値である目標吸熱器温度ＴＥＯより低くなったことに基づき、前記除湿モードから前記暖房モードに移行することを特徴とする車両用空気調和装置。
【請求項２】
冷媒を圧縮する圧縮機と、
車室内に供給する空気が流通する空気流通路と、
冷媒を吸熱させて前記空気流通路から前記車室内に供給する空気を冷却するための吸熱器と、
前記空気流通路の空気の流れに対して前記吸熱器の風下側に設けられ、冷媒を放熱させて前記空気流通路から前記車室内に供給する空気を加熱するための放熱器と、
車室外に設けられた室外熱交換器と、
制御装置を備え、
該制御装置により、前記圧縮機から吐出された冷媒を前記放熱器にて放熱させ、放熱した当該冷媒を減圧した後、前記室外熱交換器にて吸熱させる暖房モードと、
前記圧縮機から吐出された冷媒を前記放熱器にて放熱させ、放熱した当該冷媒を減圧した後、前記吸熱器と前記室外熱交換器に流して吸熱させる除湿モードを切り換えて実行する車両用空気調和装置において、
前記制御装置は、前記吸熱器に流入する空気の温度である吸熱器吸込空気温度Ｔｅｖａｉｎが、前記吸熱器の温度Ｔｅの目標値である目標吸熱器温度ＴＥＯより低くなったことに基づき、前記除湿モードから前記暖房モードに移行することを特徴とする車両用空気調和装置。
【請求項３】
前記制御装置は、前記吸熱器吸込空気温度Ｔｅｖａｉｎが、前記目標吸熱器温度ＴＥＯ−所定値αより低くなった状態（Ｔｅｖａｉｎ＜ＴＥＯ−α）が所定時間Ｔ１継続した場合、前記除湿モードから前記暖房モードに移行することを特徴とする請求項１又は請求項２に記載の車両用空気調和装置。
【請求項４】
前記空気流通路に流入する外気と前記車室内の空気である内気の比率を調整可能な吸込切換ダンパを備え、
前記制御装置は、前記吸込切換ダンパにより調整される前記外気と内気の比率に基づき、前記吸熱器吸込空気温度Ｔｅｖａｉｎを推定することを特徴とする請求項１乃至請求項３のうちの何れかに記載の車両用空気調和装置。
【請求項５】
前記制御装置は、前記外気と内気の比率に基づく一次遅れ演算により前記吸熱器吸込空気温度Ｔｅｖａｉｎを算出することを特徴とする請求項４に記載の車両用空気調和装置。
【請求項６】
前記吸込切換ダンパを経た空気を吸引して前記吸熱器に吹き出す室内送風機を備え、
前記制御装置は、前記室内送風機からの受熱量Ｈ１、及び／又は、前記吸込切換ダンパにおける調整誤差Ｅ１に基づき、前記吸熱器吸込空気温度Ｔｅｖａｉｎを補正することを特徴とする請求項４又は請求項５に記載の車両用空気調和装置。
【請求項７】
前記吸熱器吸込空気温度Ｔｅｖａｉｎを検出する温度センサを備えることを特徴とする請求項１乃至請求項３のうちの何れかに記載の車両用空気調和装置。
【発明の詳細な説明】
【技術分野】
【０００１】
本発明は、車両の車室内を空調する車両用空気調和装置、特に車室内の暖房と除湿を切り換えて実行するものに関する。
【背景技術】
【０００２】
近年の環境問題の顕在化から、ハイブリッド自動車や電気自動車が普及するに至っている。そして、このような車両に適用することができる空気調和装置として、冷媒を圧縮して吐出する電動式の圧縮機と、空気流通路内に設けられて冷媒を吸熱させる吸熱器と、この吸熱器の空気下流側の空気流通路内に設けられて冷媒を放熱させる放熱器と、車室外に設けられて冷媒を放熱又は吸熱させる室外熱交換器を備え、圧縮機から吐出された冷媒を放熱器において放熱させ、この放熱器において放熱した冷媒を室外熱交換器において吸熱させる暖房モードと、圧縮機から吐出された冷媒を放熱器において放熱させ、放熱した冷媒を吸熱器と室外熱交換器において吸熱させる除湿暖房モード（除湿モード）と、圧縮機から吐出された冷媒を室外熱交換器において放熱させ、吸熱器において吸熱させる冷房モード等の各運転モードを切り換えて実行するものが開発されている（例えば、特許文献１参照）。
【先行技術文献】
【特許文献】
【０００３】
【特許文献１】特開２０１６−２２２０９８号公報
【発明の概要】
【発明が解決しようとする課題】
【０００４】
ここで、除湿暖房モード（除湿モード）では吸熱器で冷却された空気を放熱器で再度加熱することになるため、暖房モードに比べると運転効率が悪化し、消費電力も多くなる。一方、除湿暖房モードから暖房モードへの運転モードの移行（切換）は、従来図６に示すように行われていた。図６は除湿暖房モードから暖房モードに移行する制御を説明するために、除湿暖房モードから暖房モードに切り換わる際の圧縮機の目標回転数と吸熱器の温度Ｔｅ及びその目標値である目標吸熱器温度ＴＥＯの変化を示している。尚、吸込切換ダンパは空気流通路内に流入する外気と内気の比率を調整するダンパである。
【０００５】
ここで、除湿暖房モードでは圧縮機が吸熱器の温度Ｔｅと、その目標値である目標吸熱器温度ＴＥＯに基づいて制御されているものとすると、吸込切換ダンパによる内外気比率が変更されたことなどにより、吸熱器温度Ｔｅが低下し、目標吸熱器温度ＴＥＯより低くなると圧縮機は停止される（ＯＦＦ）。その後、吸熱器温度Ｔｅが更に低下し、図６中の時刻ｔ１で目標吸熱器温度ＴＥＯより所定値α低い温度（ＴＥＯ−α）より低くなった状態（Ｔｅ＜（ＴＥＯ−α））が所定時間Ｔ１継続した場合、運転モードは除湿暖房モードから暖房モードに切り換えられるものであった。尚、その後、吸熱器温度Ｔｅが目標吸熱器温度ＴＥＯ＋所定値β（ＴＥＯ＋β）より高くなった状態が所定時間継続した場合、車室内の除湿要求があることを条件として、暖房モードから除湿暖房モードに切り換えられる。
【０００６】
即ち、従来では除湿暖房モードにおいて吸熱器温度Ｔｅが目標吸熱器温度ＴＥＯ−αより低くなった状態が所定時間Ｔ１継続した場合に車室内の除湿が不要と判断し、暖房モードに切り換えるようにしていたため、除湿不要の判断に比較的長い時間を要し、その分運転効率の悪い除湿暖房モードが継続されてしまうという問題があった。
【０００７】
本発明は、係る従来の技術的課題を解決するために成されたものであり、早期に車室内の除湿不要判断を行って除湿モードから暖房モードに迅速に移行し、消費電力の削減を図ることができる車両用空気調和装置を提供することを目的とする。
【課題を解決するための手段】
【０００８】
請求項１の発明の車両用空気調和装置は、冷媒を圧縮する圧縮機と、車室内に供給する空気が流通する空気流通路と、冷媒を吸熱させて空気流通路から車室内に供給する空気を冷却するための吸熱器と、空気流通路の空気の流れに対して吸熱器の風下側に設けられ、冷媒を放熱させて空気流通路から車室内に供給する空気を加熱するための放熱器と、車室外に設けられた室外熱交換器と、空気流通路から車室内に供給する空気を加熱するための補助加熱装置と、制御装置を備え、この制御装置により、圧縮機から吐出された冷媒を放熱器にて放熱させ、放熱した当該冷媒を減圧した後、室外熱交換器にて吸熱させる暖房モードと、圧縮機から吐出された冷媒を放熱器には流さず、室外熱交換器に流して放熱させ、放熱した当該冷媒を減圧した後、吸熱器にて吸熱させると共に、補助加熱装置を発熱させる除湿モードを切り換えて実行するものであって、制御装置は、吸熱器に流入する空気の温度である吸熱器吸込空気温度Ｔｅｖａｉｎが、吸熱器の温度Ｔｅの目標値である目標吸熱器温度ＴＥＯより低くなったことに基づき、除湿モードから暖房モードに移行することを特徴とする。
【０００９】
請求項２の発明の車両用空気調和装置は、冷媒を圧縮する圧縮機と、車室内に供給する空気が流通する空気流通路と、冷媒を吸熱させて空気流通路から車室内に供給する空気を冷却するための吸熱器と、空気流通路の空気の流れに対して吸熱器の風下側に設けられ、冷媒を放熱させて空気流通路から車室内に供給する空気を加熱するための放熱器と、車室外に設けられた室外熱交換器と、制御装置を備え、この制御装置により、圧縮機から吐出された冷媒を放熱器にて放熱させ、放熱した当該冷媒を減圧した後、室外熱交換器にて吸熱させる暖房モードと、圧縮機から吐出された冷媒を放熱器にて放熱させ、放熱した当該冷媒を減圧した後、吸熱器と室外熱交換器に流して吸熱させる除湿モードを切り換えて実行するものであって、制御装置は、吸熱器に流入する空気の温度である吸熱器吸込空気温度Ｔｅｖａｉｎが、吸熱器の温度Ｔｅの目標値である目標吸熱器温度ＴＥＯより低くなったことに基づき、除湿モードから暖房モードに移行することを特徴とする。
【００１０】
請求項３の発明の車両用空気調和装置は、上記各発明において制御装置は、吸熱器吸込空気温度Ｔｅｖａｉｎが、目標吸熱器温度ＴＥＯ−所定値αより低くなった状態（Ｔｅｖａｉｎ＜ＴＥＯ−α）が所定時間Ｔ１継続した場合、除湿モードから暖房モードに移行することを特徴とする。
【００１１】
請求項４の発明の車両用空気調和装置は、上記各発明において空気流通路に流入する外気と車室内の空気である内気の比率を調整可能な吸込切換ダンパを備え、制御装置は、吸込切換ダンパにより調整される外気と内気の比率に基づき、吸熱器吸込空気温度Ｔｅｖａｉｎを推定することを特徴とする。
【００１２】
請求項５の発明の車両用空気調和装置は、上記発明において制御装置は、外気と内気の比率に基づく一次遅れ演算により吸熱器吸込空気温度Ｔｅｖａｉｎを算出することを特徴とする。
【００１３】
請求項６の発明の車両用空気調和装置は、請求項４又は請求項５の発明において吸込切換ダンパを経た空気を吸引して吸熱器に吹き出す室内送風機を備え、制御装置は、室内送風機からの受熱量Ｈ１、及び／又は、吸込切換ダンパにおける調整誤差Ｅ１に基づき、吸熱器吸込空気温度Ｔｅｖａｉｎを補正することを特徴とする。
【００１４】
請求項７の発明の車両用空気調和装置は、請求項１乃至請求項３の発明において吸熱器吸込空気温度Ｔｅｖａｉｎを検出する温度センサを備えることを特徴とする。
【発明の効果】
【００１５】
ここで、吸熱器に流入する空気の温度（吸熱器吸込空気温度Ｔｅｖａｉｎ）が目標吸熱器温度ＴＥＯより低くなっていれば、本来吸熱器で車室内を除湿する必要はない。そこで、請求項１の発明では、冷媒を圧縮する圧縮機と、車室内に供給する空気が流通する空気流通路と、冷媒を吸熱させて空気流通路から車室内に供給する空気を冷却するための吸熱器と、空気流通路の空気の流れに対して吸熱器の風下側に設けられ、冷媒を放熱させて空気流通路から車室内に供給する空気を加熱するための放熱器と、車室外に設けられた室外熱交換器と、空気流通路から車室内に供給する空気を加熱するための補助加熱装置と、制御装置を備え、この制御装置により、圧縮機から吐出された冷媒を放熱器にて放熱させ、放熱した当該冷媒を減圧した後、室外熱交換器にて吸熱させる暖房モードと、圧縮機から吐出された冷媒を放熱器には流さず、室外熱交換器に流して放熱させ、放熱した当該冷媒を減圧した後、吸熱器にて吸熱させると共に、補助加熱装置を発熱させる除湿モードを切り換えて実行する車両用空気調和装置において、制御装置が、吸熱器に流入する空気の温度である吸熱器吸込空気温度Ｔｅｖａｉｎが、吸熱器の温度Ｔｅの目標値である目標吸熱器温度ＴＥＯより低くなったことに基づき、除湿モードから暖房モードに移行するようにしたので、従来の如く吸熱器温度Ｔｅが目標吸熱器温度ＴＥＯより低くなっていなくとも、吸熱器吸込空気温度Ｔｅｖａｉｎが目標吸熱器温度ＴＥＯより低くなったことで、除湿モードは暖房モードに切り換えられるようになる。
【００１６】
また、請求項２の発明では、冷媒を圧縮する圧縮機と、車室内に供給する空気が流通する空気流通路と、冷媒を吸熱させて空気流通路から車室内に供給する空気を冷却するための吸熱器と、空気流通路の空気の流れに対して吸熱器の風下側に設けられ、冷媒を放熱させて空気流通路から車室内に供給する空気を加熱するための放熱器と、車室外に設けられた室外熱交換器と、制御装置を備え、この制御装置により、圧縮機から吐出された冷媒を放熱器にて放熱させ、放熱した当該冷媒を減圧した後、室外熱交換器にて吸熱させる暖房モードと、圧縮機から吐出された冷媒を放熱器にて放熱させ、放熱した当該冷媒を減圧した後、吸熱器と室外熱交換器に流して吸熱させる除湿モードを切り換えて実行する車両用空気調和装置において、制御装置が、吸熱器に流入する空気の温度である吸熱器吸込空気温度Ｔｅｖａｉｎが、吸熱器の温度Ｔｅの目標値である目標吸熱器温度ＴＥＯより低くなったことに基づき、除湿モードから暖房モードに移行するようにしたので、この場合にも従来の如く吸熱器温度Ｔｅが目標吸熱器温度ＴＥＯより低くなっていなくとも、吸熱器吸込空気温度Ｔｅｖａｉｎが目標吸熱器温度ＴＥＯより低くなったことで、除湿モードは暖房モードに切り換えられるようになる。
【００１７】
これらにより、請求項１又は請求項２の発明によれば、従来に比して早期に車室内の除湿不要判断を行い、運転効率の悪い除湿モードから運転効率が良くなる暖房モードに迅速に移行することができるようになる。これにより、消費電力の削減を図ることができるようになり、特に車室内を空調する車両用空気調和装置において極めて好適なものとなる。
【００１８】
この場合、請求項３の発明の如く制御装置が、吸熱器吸込空気温度Ｔｅｖａｉｎが、目標吸熱器温度ＴＥＯ−所定値αより低くなった状態（Ｔｅｖａｉｎ＜ＴＥＯ−α）が所定時間Ｔ１継続した場合、除湿モードから暖房モードに移行するようにすれば、適切に除湿モードから暖房モードへの切り換えを行うことができるようになる。
【００１９】
また、請求項４の発明の如く空気流通路に流入する外気と車室内の空気である内気の比率を調整可能な吸込切換ダンパを備え、制御装置が、吸込切換ダンパにより調整される外気と内気の比率に基づき、吸熱器吸込空気温度Ｔｅｖａｉｎを推定するようにすれば、格別な温度センサを設けること無く、吸熱器吸込空気温度Ｔｅｖａｉｎを推定して除湿モードから暖房モードへの移行を行うことができるようになる。
【００２０】
ここで、外気と内気の比率が変化した場合、吸熱器吸込空気温度Ｔｅｖａｉｎに反映されるまでは或る程度時間がかかる。即ち、外気と内気の比率が変化しても吸熱器吸込空気温度Ｔｅｖａｉｎは直ぐに変化するものでは無い。そこで、請求項５の発明の如く制御装置が、外気と内気の比率に基づく一次遅れ演算により吸熱器吸込空気温度Ｔｅｖａｉｎを算出するようにすれば、実際の吸熱器吸込空気温度Ｔｅｖａｉｎの変化に合わせて除湿モードから暖房モードへの移行を行うことができるようになる。
【００２１】
また、請求項６の発明の如く制御装置が、吸込切換ダンパを経た空気を吸引して吸熱器に吹き出す室内送風機からの受熱量Ｈ１、及び／又は、吸込切換ダンパにおける調整誤差Ｅ１に基づき、吸熱器吸込空気温度Ｔｅｖａｉｎを補正するようにすれば、より精度良く吸熱器吸込空気温度Ｔｅｖａｉｎを推定することができるようになる。
【００２２】
尚、請求項７の発明の如く吸熱器吸込空気温度Ｔｅｖａｉｎを検出する温度センサを有するときには、上記の如き推定を行うこと無く、当該温度センサの検出値に基づいて除湿モードから暖房モードへの移行を行うことができる。
【図面の簡単な説明】
【００２３】
【図１】本発明を適用した一実施形態の車両用空気調和装置の構成図である。
【図２】図１の車両用空気調和装置の制御装置のブロック図である。
【図３】図１の車両用空気調和装置のＨＶＡＣユニットの縦断側面図である。
【図４】図２のヒートポンプコントローラによる除湿暖房モードから暖房モードへの移行制御を説明する図である。
【図５】本発明の他の実施例の車両用空気調和装置の構成図である。
【図６】従来の除湿暖房モードから暖房モードに移行する際の制御を説明する図である。
【発明を実施するための形態】
【００２４】
以下、本発明の実施の形態について、図面に基づき詳細に説明する。
【実施例１】
【００２５】
図１は本発明の一実施例の車両用空気調和装置１の構成図を示している。本発明を適用する実施例の車両は、エンジン（内燃機関）が搭載されていない電気自動車（ＥＶ）であって、バッテリに充電された電力で走行用の電動モータを駆動して走行するものであり（何れも図示せず）、本発明の車両用空気調和装置１も、バッテリの電力で駆動されるものとする。即ち、実施例の車両用空気調和装置１は、エンジン廃熱による暖房ができない電気自動車において、冷媒回路を用いたヒートポンプ運転により暖房モードを行い、更に、本発明における除湿モードとしての除湿暖房モード、除湿冷房モード、冷房モード、ＭＡＸ冷房モード（最大冷房モード）及び補助ヒータ単独モードの各運転モードを選択的に実行する。
【００２６】
尚、車両として電気自動車に限らず、エンジンと走行用の電動モータを供用する所謂ハイブリッド自動車にも本発明は有効であり、更には、エンジンで走行する通常の自動車にも適用可能であることは云うまでもない。
【００２７】
実施例の車両用空気調和装置１は、電気自動車の車室内の空調（暖房、冷房、除湿、及び、換気）を行うものであり、冷媒を圧縮する電動式の圧縮機２と、外気や車室内の空気が通気／循環されるＨＶＡＣユニット１０の空気流通路３内に設けられ、圧縮機２から吐出された高温高圧の冷媒が冷媒配管１３Ｇを介して流入し、この冷媒を放熱させて車室内に供給する空気を加熱するための放熱器４と、暖房時に冷媒を減圧膨張させる電動弁から成る室外膨張弁６（減圧装置）と、車室外に設けられて冷房時には放熱器として機能し、暖房時には蒸発器として機能すべく冷媒と外気との間で熱交換を行わせる室外熱交換器７と、冷媒を減圧膨張させる電動弁から成る室内膨張弁８（減圧装置）と、空気流通路３内に設けられ、冷房時及び除湿時に冷媒を吸熱させて車室内に供給する空気を冷却するための吸熱器９と、アキュムレータ１２等が冷媒配管１３により順次接続され、冷媒回路Ｒが構成されている。この場合、放熱器４は空気流通路３の空気の流れに対して吸熱器９の風下側（空気下流側）に配置されている。
【００２８】
そして、この冷媒回路Ｒには所定量の冷媒と潤滑用のオイルが充填されている。尚、室外熱交換器７には、室外送風機１５が設けられている。この室外送風機１５は、室外熱交換器７に外気を強制的に通風することにより、外気と冷媒とを熱交換させるものであり、これにより停車中（即ち、車速が０ｋｍ／ｈ）にも室外熱交換器７に外気が通風されるよう構成されている。
【００２９】
また、室外熱交換器７は冷媒下流側にレシーバドライヤ部１４と過冷却部１６を順次有し、室外熱交換器７から出た冷媒配管１３Ａは冷房時に開放される電磁弁１７を介してレシーバドライヤ部１４に接続され、過冷却部１６の出口側の冷媒配管１３Ｂは室内膨張弁８介して吸熱器９の入口側に接続されている。尚、レシーバドライヤ部１４及び過冷却部１６は構造的に室外熱交換器７の一部を構成している。
【００３０】
また、過冷却部１６と室内膨張弁８間の冷媒配管１３Ｂは、吸熱器９の出口側の冷媒配管１３Ｃと熱交換関係に設けられ、両者で内部熱交換器１９を構成している。これにより、冷媒配管１３Ｂを経て室内膨張弁８に流入する冷媒は、吸熱器９を出た低温の冷媒により冷却（過冷却）される構成とされている。
【００３１】
また、室外熱交換器７から出た冷媒配管１３Ａは冷媒配管１３Ｄに分岐しており、この分岐した冷媒配管１３Ｄは、暖房時に開放される電磁弁２１を介して内部熱交換器１９の下流側における冷媒配管１３Ｃに連通接続されている。この冷媒配管１３Ｃがアキュムレータ１２に接続され、アキュムレータ１２は圧縮機２の冷媒吸込側に接続されている。更に、放熱器４の出口側の冷媒配管１３Ｅは室外膨張弁６を介して室外熱交換器７の入口側に接続されている。
【００３２】
また、圧縮機２の吐出側と放熱器４の入口側の間の冷媒配管１３Ｇには後述する除湿暖房とＭＡＸ冷房時に閉じられる電磁弁３０（流路切換装置を構成する）が介設されている。この場合、冷媒配管１３Ｇは電磁弁３０の上流側でバイパス配管３５に分岐しており、このバイパス配管３５は除湿暖房とＭＡＸ冷房時に開放される電磁弁４０（これも流路切換装置を構成する）を介して室外膨張弁６の下流側の冷媒配管１３Ｅに連通接続されている。これらバイパス配管３５、電磁弁３０及び電磁弁４０によりバイパス装置４５が構成される。
【００３３】
このようなバイパス配管３５、電磁弁３０及び電磁弁４０によりバイパス装置４５を構成したことで、後述する如く圧縮機２から吐出された冷媒を室外熱交換器７に直接流入させる除湿暖房モードやＭＡＸ冷房モードと、圧縮機２から吐出された冷媒を放熱器４に流入させる暖房モードや除湿冷房モード、冷房モードとの切り換えを円滑に行うことができるようになる。
【００３４】
また、吸熱器９の空気上流側における空気流通路３には、外気吸込口２５Ａと内気吸込口２５Ｂの各吸込口が形成されており、外気吸込口２５Ａからは車室外の空気である外気が吸い込まれ、内気吸込口２５Ｂからは車室内の空気である内気が吸い込まれる構成とされている。更に、空気流通路３には吸込切換ダンパ２６が設けられ、この吸込切換ダンパ２６の空気下流側には、各吸込口２５Ａ、２５Ｂから吸い込まれた外気や内気を吸引し、空気流通路３の吸熱器９に吹き出すための室内送風機（ブロワファン）２７が設けられている。
【００３５】
上記吸込切換ダンパ２６は、外気吸込口２５Ａと内気吸込口２５Ｂを任意の比率で開閉することにより、空気流通路３の吸熱器９に流入する外気と内気の比率を０〜１００％の間で調整することができるように構成されている。尚、本出願では吸込切換ダンパ２６により調整される外気と内気の比率を内外気比率ＲＥＣｒａｔｅと称し、この内外気比率ＲＥＣｒａｔｅ＝１のときに内気が１００％、外気が０％の内気循環モードとなり、内外気比率ＲＥＣｒａｔｅ＝０のときに外気が１００％、内気が０％の外気導入モードとなる。そして、０＜内外気比率ＲＥＣｒａｔｅ＜１のときに０％＜内気＜１００％、且つ、１００％＞外気＞０％の内外気中間位置となる。即ち、本出願において内外気比率ＲＥＣｒａｔｅは空気流通路３の吸熱器９に流入する空気のうちの内気の割合を意味する。
【００３６】
この吸込切換ダンパ２６は後述する空調コントローラ２０により制御され、後述するオートモード或いは空調操作部５３へのマニュアル操作（マニュアルモード）によって上記内気循環モード、外気導入モード及び内外気中間位置が選択される。この場合、クールダウン時等の冷房負荷が大きいときや市街地等の外気臭が気になるときに内気循環モードとされ、換気が必要なときや暖房時の窓曇り防止を行うときにデフロスタスイッチ（後述する空調操作部５３に設けられる）との連動等で外気導入モードが選択される。また、暖房時の暖房負荷の低減と窓曇り防止の両立を行うときに内外気中間位置が選択されることになる。
【００３７】
また、図１において２３は実施例の車両用空気調和装置１に設けられた補助加熱装置としての補助ヒータである。実施例の補助ヒータ２３はＰＴＣヒータ（電気ヒータ）にて構成されており、空気流通路３の空気の流れに対して、放熱器４の風上側（空気上流側）であって吸熱器９の風下側（空気下流側）となる空気流通路３内に設けられている。そして、補助ヒータ２３に通電されて発熱すると、吸熱器９を経て放熱器４に流入する前の空気流通路３内の空気が加熱される。即ち、この補助ヒータ２３が所謂ヒータコアとなり、車室内の暖房を行い、或いは、それを補完する。
【００３８】
ここで、ＨＶＡＣユニット１０の吸熱器９より風下側（空気下流側）の空気流通路３は仕切壁１０Ａにより区画され、暖房用熱交換通路３Ａとそれをバイパスするバイパス通路３Ｂとが形成されており、前述した放熱器４と補助ヒータ２３は暖房用熱交換通路３Ａに配置されている。
【００３９】
また、補助ヒータ２３の風上側における空気流通路３内には、当該空気流通路３内に流入し、吸熱器９を通過した後の空気流通路３内の空気（内気や外気）を、補助ヒータ２３及び放熱器４が配置された暖房用熱交換通路３Ａに通風する割合を調整するエアミックスダンパ２８Ｄｒ、２８Ａｓが設けられている。
【００４０】
更に、放熱器４の風下側におけるＨＶＡＣユニット１０には、ＦＯＯＴ（フット）吹出口２９Ａ、ＶＥＮＴ（ベント）吹出口２９Ｂ、ＤＥＦ（デフ）吹出口２９Ｃの各吹出口が形成されている。ＦＯＯＴ吹出口２９Ａは車室内の足下に空気を吹き出すための吹出口で、最も低い位置にある。また、ＶＥＮＴ吹出口２９Ｂは車室内の運転者の胸や顔付近に空気を吹き出すための吹出口で、ＦＯＯＴ吹出口２９Ａより上方にある。そして、ＤＥＦ吹出口２９Ｃは車両のフロントガラス内面に空気を吹き出すための吹出口で、他の吹出口２９Ａ、２９Ｂよりも上方の最も高い位置にある。
【００４１】
そして、ＦＯＯＴ吹出口２９Ａ、ＶＥＮＴ吹出口２９Ｂ、及び、ＤＥＦ吹出口２９Ｃには、空気の吹き出し量を制御するＦＯＯＴ吹出口ダンパ３１Ａ、ＶＥＮＴ吹出口ダンパ３１Ｂ、及び、ＤＥＦ吹出口ダンパ３１Ｃがそれぞれ設けられている。
【００４２】
尚、実施例の車両用空気調和装置１は、車両の運転席と助手席で、左右独立空調制御が可能とされており、放熱器４及び補助ヒータ２３が設けられた空気流通路３内は図示しない仕切板により左右に仕切られている。そして、前述したエアミックスダンパ２８Ｄｒは運転席用（右用）のエアミックスダンパとされて右側の空気流通路３に設けられ、エアミックスダンパ２８Ａｓは助手席用（左用）のエアミックスダンパとされて左側の空気流通路３に設けられている。また、上記ＦＯＯＴ吹出口ダンパ３１Ａ、ＶＥＮＴ吹出口ダンパ３１Ｂ、及び、ＤＥＦ吹出口ダンパ３１Ｃの各吹出口も、運転席用（右用）と助手席用（左用）が前記仕切板で仕切られる左右の空気流通路３にそれぞれ設けられているものとする。そして、それらにより運転席・助手席同一空調制御（左右同一空調制御）と、運転席・助手席独立空調制御（左右独立空調制御）とを実行可能とされている。
【００４３】
即ち、後述する空調操作部５３での設定で、運転席・助手席同一空調制御（左右同一空調制御）となったときには、エアミックスダンパ２８Ｄｒ及びエアミックスダンパ２８Ａｓは同一の動作を行い、運転席用と助手席用の各吹出口ダンパ３１Ａ〜３１Ｃも同一の動作を行う。一方、運転席・助手席独立空調制御（左右独立空調制御）となったときには、エアミックスダンパ２８Ｄｒ及びエアミックスダンパ２８Ａｓは独立して動作し、運転席用と助手席用の各吹出口ダンパ３１Ａ〜３１Ｃも独立して動作することになる。
【００４４】
次に、図２は実施例の車両用空気調和装置１の制御装置１１のブロック図を示している。制御装置１１は、何れもプロセッサを備えたコンピュータの一例であるマイクロコンピュータから構成された空調コントローラ２０及びヒートポンプコントローラ３２から構成されており、これらがＣＡＮ（Ｃｏｎｔｒｏｌｌｅｒ  Ａｒｅａ  Ｎｅｔｗｏｒｋ）やＬＩＮ（Ｌｏｃａｌ  Ｉｎｔｅｒｃｏｎｎｅｃｔ  Ｎｅｔｗｏｒｋ）を構成する車両通信バス６５に接続されている。また、圧縮機２と補助ヒータ２３も車両通信バス６５に接続され、これら空調コントローラ２０、ヒートポンプコントローラ３２、圧縮機２及び補助ヒータ２３が車両通信バス６５を介してデータの送受信を行うように構成されている。
【００４５】
空調コントローラ２０は、車両の車室内空調の制御を司る上位のコントローラであり、この空調コントローラ２０の入力には、車両の外気温度Ｔａｍ（車室外の空気の温度）を検出する外気温度センサ３３と、外気湿度を検出する外気湿度センサ３４と、車室内の空気（内気）の温度（内気温度Ｔｉｎ）を検出する内気温度センサ３７と、車室内の空気の湿度を検出する内気湿度センサ３８と、車室内の二酸化炭素濃度を検出する室内ＣＯ2濃度センサ３９と、車室内に吹き出される空気の温度を検出する吹出温度センサ４１と、圧縮機２の吐出冷媒圧力（吐出圧力Ｐｄ）を検出する吐出圧力センサ４２と、車室内への日射量を検出するための例えばフォトセンサ式の日射センサ５１と、車両の移動速度（車速）を検出するための車速センサ５２の各出力と、設定温度や運転モードの切り換えを設定するための空調（エアコン）操作部５３が接続されている。
【００４６】
また、空調コントローラ２０の出力には、室外送風機１５と、室内送風機（ブロワファン）２７と、吸込切換ダンパ２６と、エアミックスダンパ２８Ｄｒ、２８Ａｓと、各吹出口ダンパ３１Ａ〜３１Ｃが接続され、それらは空調コントローラ２０により制御される。
【００４７】
ヒートポンプコントローラ３２は、主に冷媒回路Ｒの制御を司るコントローラであり、このヒートポンプコントローラ３２の入力には、圧縮機２の吐出冷媒温度を検出する吐出温度センサ４３と、圧縮機２の吸込冷媒圧力を検出する吸込圧力センサ４４と、圧縮機２の吸込冷媒温度Ｔｓを検出する吸込温度センサ５５と、放熱器４の冷媒温度（放熱器温度ＴＣＩ）を検出する放熱器温度センサ４６と、放熱器４の冷媒圧力（放熱器圧力ＰＣＩ）を検出する放熱器圧力センサ４７と、吸熱器９の冷媒温度（吸熱器温度Ｔｅ）を検出する吸熱器温度センサ４８と、吸熱器９の冷媒圧力を検出する吸熱器圧力センサ４９と、室外熱交換器７の出口の冷媒温度（室外熱交換器温度ＴＸＯ）を検出する室外熱交換器温度センサ５４と、室外熱交換器７の出口の冷媒圧力（室外熱交換器圧力ＰＸＯ）を検出する室外熱交換器圧力センサ５６の各出力が接続されている。
【００４８】
更に、ヒートポンプコントローラ３２の入力には、補助ヒータ２３の温度（補助ヒータ温度Ｔｐｔｃ）を検出する複数の温度センサとしての補助ヒータ温度センサ５０Ｄｒ、５０Ａｓの各出力も接続されている。この場合、補助ヒータ温度センサ５０Ｄｒは前記仕切板で仕切られた右側（運転席側）の部分の補助ヒータ２３の温度を検出し、補助ヒータ温度センサ５０Ａｓは左側（助手席側）の部分の補助ヒータ２３の温度を検出することができるように取り付けられている。
【００４９】
また、ヒートポンプコントローラ３２の出力には、室外膨張弁６、室内膨張弁８と、電磁弁３０（リヒート用）、電磁弁１７（冷房用）、電磁弁２１（暖房用）、電磁弁４０（バイパス用）の各電磁弁が接続され、それらはヒートポンプコントローラ３２により制御される。尚、圧縮機２と補助ヒータ２３はそれぞれコントローラを内蔵しており、圧縮機２と補助ヒータ２３のコントローラは車両通信バス６５を介してヒートポンプコントローラ３２とデータの送受信を行い、このヒートポンプコントローラ３２によって制御される。
【００５０】
ヒートポンプコントローラ３２と空調コントローラ２０は車両通信バス６５を介して相互にデータの送受信を行い、各センサの出力や空調操作部５３にて入力された設定に基づき、各機器を制御するものであるが、この場合の実施例では外気温度センサ３３、吐出圧力センサ４２、車速センサ５２、空気流通路３に流入した空気の実際の体積風量Ｇａ（実システム風量。空調コントローラ２０が算出）、エアミックスダンパ２８Ｄｒ、２８Ａｓによる風量割合ＳＷＤｒ、ＳＷＡｓ（空調コントローラ２０が算出）、前記内外気比率ＲＥＣｒａｔｅ（空調コントローラ２０が調整）、空調操作部５３の出力は空調コントローラ２０から車両通信バス６５を介してヒートポンプコントローラ３２に送信され、ヒートポンプコントローラ３２による制御に供される構成とされている。
【００５１】
以上の構成で、次に実施例の車両用空気調和装置１の動作を説明する。この実施例では制御装置１１（空調コントローラ２０、ヒートポンプコントローラ３２）は、暖房モード、除湿暖房モード(除湿モード）、除湿冷房モード、冷房モード、ＭＡＸ冷房モード（最大冷房モード）及び補助ヒータ単独モードの各運転モードを切り換えて実行する。先ず、各運転モードにおける冷媒の流れと制御について説明する。
【００５２】
（１）暖房モード
ヒートポンプコントローラ３２により（オートモード）或いは空調操作部５３へのマニュアル操作により（マニュアルモード）暖房モードが選択されると、ヒートポンプコントローラ３２は電磁弁２１（暖房用）を開放し、電磁弁１７（冷房用）を閉じる。また、電磁弁３０（リヒート用）を開放し、電磁弁４０（バイパス用）を閉じる。そして、圧縮機２を運転する。空調コントローラ２０は各送風機１５、２７を運転し、エアミックスダンパ２８Ｄｒ、２８Ａｓは、基本的には室内送風機２７から吹き出されて吸熱器９を経た空気流通路３内の全て空気を暖房用熱交換通路３Ａの補助ヒータ２３及び放熱器４に通風する状態とするが、風量を調整してもよい。
【００５３】
これにより、圧縮機２から吐出された高温高圧のガス冷媒は電磁弁３０を経て冷媒配管１３Ｇから放熱器４に流入する。放熱器４には空気流通路３内の空気が通風されるので、空気流通路３内の空気は放熱器４内の高温冷媒（補助ヒータ２３が動作するときは当該補助ヒータ２３及び放熱器４）により加熱され、一方、放熱器４内の冷媒は空気に熱を奪われて冷却され、凝縮液化する。
【００５４】
放熱器４内で液化した冷媒は当該放熱器４を出た後、冷媒配管１３Ｅを経て室外膨張弁６に至る。室外膨張弁６に流入した冷媒はそこで減圧された後、室外熱交換器７に流入する。室外熱交換器７に流入した冷媒は蒸発し、走行により、或いは、室外送風機１５にて通風される外気中から熱を汲み上げる。即ち、冷媒回路Ｒがヒートポンプとなる。そして、室外熱交換器７を出た低温の冷媒は冷媒配管１３Ａ及び電磁弁２１及び冷媒配管１３Ｄを経て冷媒配管１３Ｃからアキュムレータ１２に入り、そこで気液分離された後、ガス冷媒が圧縮機２に吸い込まれる循環を繰り返す。放熱器４（補助ヒータ２３が動作するときは当該補助ヒータ２３及び放熱器４）にて加熱された空気は各吹出口２９Ａ〜２９Ｃから吹き出されるので、これにより車室内の暖房が行われることになる。
【００５５】
ヒートポンプコントローラ３２は、空調コントローラ２０が目標吹出温度ＴＡＯから算出する目標ヒータ温度ＴＣＯ（後述する加熱温度ＴＨの目標値）から目標放熱器圧力ＰＣＯ（放熱器圧力ＰＣＩの目標値）を算出し、この目標放熱器圧力ＰＣＯと、放熱器圧力センサ４７が検出する放熱器４の冷媒圧力（放熱器圧力ＰＣＩ。冷媒回路Ｒの高圧圧力）に基づいて圧縮機２の回転数ＮＣを制御し、放熱器４による加熱を制御する。また、ヒートポンプコントローラ３２は、放熱器温度センサ４６が検出する放熱器４の冷媒温度（放熱器温度ＴＣＩ）及び放熱器圧力センサ４７が検出する放熱器圧力ＰＣＩに基づいて室外膨張弁６の弁開度を制御し、放熱器４の出口における冷媒の過冷却度ＳＣをその目標値である目標過冷却度ＴＧＳＣに制御する。
【００５６】
また、ヒートポンプコントローラ３２はこの暖房モードにおいては、車室内空調に要求される暖房能力（要求暖房能力ＴＧＱ）に対して放熱器４による暖房能力が不足する場合、その不足する分を補助ヒータ２３の発熱で補完するように補助ヒータ２３の通電を制御する。それにより、快適な車室内暖房を実現し、且つ、室外熱交換器７の着霜も抑制する。実施例では補助ヒータ２３は放熱器４の空気上流側に配置されているので、空気流通路３を流通する空気は放熱器４の前に補助ヒータ２３に通風されることになる。
【００５７】
この場合、実施例ではヒートポンプコントローラ３２は、補助ヒータ温度センサ５０Ｄｒの検出値ＴｐｔｃＤｒと補助ヒータ温度センサ５０Ａｓの検出値ＴｐｔｃＡｓの平均値を補助ヒータ温度Ｔｐｔｃとして補助ヒータ２３の通電を制御する。
【００５８】
（２）除湿暖房モード（除湿モード）
次に、本発明における除湿モードとしての除湿暖房モードでは、ヒートポンプコントローラ３２は電磁弁１７を開放し、電磁弁２１を閉じる。また、電磁弁３０を閉じ、電磁弁４０を開放すると共に、室外膨張弁６の弁開度は全閉とする。そして、圧縮機２を運転する。空調コントローラ２０は各送風機１５、２７を運転し、エアミックスダンパ２８Ｄｒ、２８Ａｓは、基本的には室内送風機２７から吹き出されて吸熱器９を経た空気流通路３内の全て空気を暖房用熱交換通路３Ａの補助ヒータ２３及び放熱器４に通風する状態とするが、風量の調整も行う。
【００５９】
これにより、圧縮機２から冷媒配管１３Ｇに吐出された高温高圧のガス冷媒は、放熱器４に向かうこと無くバイパス配管３５に流入し、電磁弁４０を経て室外膨張弁６の下流側の冷媒配管１３Ｅに至るようになる。このとき、室外膨張弁６は全閉とされているので、冷媒は室外熱交換器７に流入する。室外熱交換器７に流入した冷媒はそこで走行により、或いは、室外送風機１５にて通風される外気により空冷され、凝縮する。室外熱交換器７を出た冷媒は冷媒配管１３Ａから電磁弁１７を経てレシーバドライヤ部１４、過冷却部１６と順次流入する。ここで冷媒は過冷却される。
【００６０】
室外熱交換器７の過冷却部１６を出た冷媒は冷媒配管１３Ｂに入り、内部熱交換器１９を経て室内膨張弁８に至る。室内膨張弁８にて冷媒は減圧された後、吸熱器９に流入して蒸発する。このときの吸熱作用で室内送風機２７から吹き出された空気は冷却され、且つ、当該空気中の水分が吸熱器９に凝結して付着するので、空気流通路３内の空気は冷却され、且つ、除湿される。吸熱器９で蒸発した冷媒は内部熱交換器１９を経て冷媒配管１３Ｃを介し、アキュムレータ１２に至り、そこを経て圧縮機２に吸い込まれる循環を繰り返す。
【００６１】
このとき、室外膨張弁６の弁開度は全閉とされているので、圧縮機２から吐出された冷媒が室外膨張弁６から放熱器４に逆流入する不都合を抑制若しくは防止することが可能となる。これにより、冷媒循環量の低下を抑制若しくは解消して空調能力を確保することができるようになる。更に、この除湿暖房モードにおいてヒートポンプコントローラ３２は、補助ヒータ２３に通電して発熱させる。これにより、吸熱器９にて冷却され、且つ、除湿された空気は補助ヒータ２３を通過する過程で更に加熱され、温度が上昇するので車室内の除湿暖房が行われることになる。
【００６２】
ヒートポンプコントローラ３２は吸熱器温度センサ４８が検出する吸熱器９の温度（吸熱器温度Ｔｅ）と、空調コントローラ２０が算出する吸熱器温度Ｔｅの目標値である目標吸熱器温度ＴＥＯに基づいて圧縮機２の回転数ＮＣを制御すると共に、補助ヒータ温度センサ５０Ｄｒの検出値ＴｐｔｃＤｒと補助ヒータ温度センサ５０Ａｓの検出値ＴｐｔｃＡｓの平均値を補助ヒータ温度Ｔｐｔｃとし、この補助ヒータ温度Ｔｐｔｃと前記目標ヒータ温度ＴＣＯに基づいて補助ヒータ２３の通電（発熱による加熱）を制御することで、吸熱器９での空気の冷却と除湿を適切に行いながら、補助ヒータ２３による加熱で各吹出口２９Ａ〜２９Ｃから車室内に吹き出される空気温度の低下を的確に防止する。これにより、車室内に吹き出される空気を除湿しながら、その温度を適切な暖房温度に制御することが可能となり、車室内の快適且つ効率的な除湿暖房を実現することができるようになる。
【００６３】
尚、補助ヒータ２３は放熱器４の空気上流側に配置されているので、補助ヒータ２３で加熱された空気は放熱器４を通過することになるが、この除湿暖房モードでは放熱器４に冷媒は流されないので、補助ヒータ２３にて加熱された空気から放熱器４が吸熱してしまう不都合も解消される。即ち、放熱器４によって車室内に吹き出される空気の温度が低下してしまうことが抑制され、ＣＯＰも向上することになる。
【００６４】
（３）除湿冷房モード
次に、除湿冷房モードでは、ヒートポンプコントローラ３２は電磁弁１７を開放し、電磁弁２１を閉じる。また、電磁弁３０を開放し、電磁弁４０を閉じる。そして、圧縮機２を運転する。空調コントローラ２０は各送風機１５、２７を運転し、エアミックスダンパ２８Ｄｒ、２８Ａｓは、基本的には室内送風機２７から吹き出されて吸熱器９を経た空気流通路３内の全て空気を暖房用熱交換通路３Ａの補助ヒータ２３及び放熱器４に通風する状態とするが、風量の調整も行う。
【００６５】
これにより、圧縮機２から吐出された高温高圧のガス冷媒は電磁弁３０を経て冷媒配管１３Ｇから放熱器４に流入する。放熱器４には空気流通路３内の空気が通風されるので、空気流通路３内の空気は放熱器４内の高温冷媒により加熱され、一方、放熱器４内の冷媒は空気に熱を奪われて冷却され、凝縮液化していく。
【００６６】
放熱器４を出た冷媒は冷媒配管１３Ｅを経て室外膨張弁６に至り、開き気味で制御される室外膨張弁６を経て室外熱交換器７に流入する。室外熱交換器７に流入した冷媒はそこで走行により、或いは、室外送風機１５にて通風される外気により空冷され、凝縮する。室外熱交換器７を出た冷媒は冷媒配管１３Ａから電磁弁１７を経てレシーバドライヤ部１４、過冷却部１６と順次流入する。ここで冷媒は過冷却される。
【００６７】
室外熱交換器７の過冷却部１６を出た冷媒は冷媒配管１３Ｂに入り、内部熱交換器１９を経て室内膨張弁８に至る。室内膨張弁８にて冷媒は減圧された後、吸熱器９に流入して蒸発する。このときの吸熱作用で室内送風機２７から吹き出された空気中の水分が吸熱器９に凝結して付着するので、空気は冷却され、且つ、除湿される。
【００６８】
吸熱器９で蒸発した冷媒は内部熱交換器１９を経て冷媒配管１３Ｃを介し、アキュムレータ１２に至り、そこを経て圧縮機２に吸い込まれる循環を繰り返す。この除湿冷房モードではヒートポンプコントローラ３２は補助ヒータ２３に通電しないので、吸熱器９にて冷却され、除湿された空気は放熱器４を通過する過程で再加熱（暖房時よりも放熱能力は低い）される。これにより車室内の除湿冷房が行われることになる。
【００６９】
ヒートポンプコントローラ３２は吸熱器温度センサ４８が検出する吸熱器９の温度（吸熱器温度Ｔｅ）とその目標値である目標吸熱器温度ＴＥＯ（空調コントローラ２０から送信される）に基づいて圧縮機２の回転数ＮＣを制御する。また、ヒートポンプコントローラ３２は前述した目標ヒータ温度ＴＣＯから目標放熱器圧力ＰＣＯを算出し、この目標放熱器圧力ＰＣＯと、放熱器圧力センサ４７が検出する放熱器４の冷媒圧力（放熱器圧力ＰＣＩ。冷媒回路Ｒの高圧圧力）に基づいて室外膨張弁６の弁開度を制御し、放熱器４による加熱を制御する。
【００７０】
（４）冷房モード
次に、冷房モードでは、ヒートポンプコントローラ３２は上記除湿冷房モードの状態において室外膨張弁６の弁開度を全開とする。そして、圧縮機２を運転し、補助ヒータ２３には通電しない。空調コントローラ２０は各送風機１５、２７を運転し、エアミックスダンパ２８Ｄｒ、２８Ａｓは、室内送風機２７から吹き出されて吸熱器９を経た空気流通路３内の空気が、暖房用熱交換通路３Ａの補助ヒータ２３及び放熱器４に通風される割合を調整する状態とする。
【００７１】
これにより、圧縮機２から吐出された高温高圧のガス冷媒は電磁弁３０を経て冷媒配管１３Ｇから放熱器４に流入すると共に、放熱器４を出た冷媒は冷媒配管１３Ｅを経て室外膨張弁６に至る。このとき室外膨張弁６は全開とされているので冷媒はそれを通過し、そのまま室外熱交換器７に流入し、そこで走行により、或いは、室外送風機１５にて通風される外気により空冷され、凝縮液化する。室外熱交換器７を出た冷媒は冷媒配管１３Ａから電磁弁１７を経てレシーバドライヤ部１４、過冷却部１６と順次流入する。ここで冷媒は過冷却される。
【００７２】
室外熱交換器７の過冷却部１６を出た冷媒は冷媒配管１３Ｂに入り、内部熱交換器１９を経て室内膨張弁８に至る。室内膨張弁８にて冷媒は減圧された後、吸熱器９に流入して蒸発する。このときの吸熱作用で室内送風機２７から吹き出された空気は冷却される。また、空気中の水分は吸熱器９に凝結して付着する。
【００７３】
吸熱器９で蒸発した冷媒は内部熱交換器１９を経て冷媒配管１３Ｃを介し、アキュムレータ１２に至り、そこを経て圧縮機２に吸い込まれる循環を繰り返す。吸熱器９にて冷却され、除湿された空気が各吹出口２９Ａ〜２９Ｃから車室内に吹き出されるので（一部は放熱器４を通過して熱交換する）、これにより車室内の冷房が行われることになる。また、この冷房モードにおいては、ヒートポンプコントローラ３２は吸熱器温度センサ４８が検出する吸熱器９の温度（吸熱器温度Ｔｅ）とその目標値である前述した目標吸熱器温度ＴＥＯに基づいて圧縮機２の回転数ＮＣを制御する。
【００７４】
（５）ＭＡＸ冷房モード（最大冷房モード）
次に、最大冷房モードとしてのＭＡＸ冷房モードでは、ヒートポンプコントローラ３２は電磁弁１７を開放し、電磁弁２１を閉じる。また、電磁弁３０を閉じ、電磁弁４０を開放すると共に、室外膨張弁６の弁開度は全閉とする。そして、圧縮機２を運転し、補助ヒータ２３には通電しない。空調コントローラ２０は、各送風機１５、２７を運転し、エアミックスダンパ２８Ｄｒ、２８Ａｓは、室内送風機２７から吹き出されて吸熱器９を経た空気流通路３内の空気が、暖房用熱交換通路３Ａの補助ヒータ２３及び放熱器４に通風される割合を調整する状態とする。
【００７５】
これにより、圧縮機２から冷媒配管１３Ｇに吐出された高温高圧のガス冷媒は、放熱器４に向かうこと無くバイパス配管３５に流入し、電磁弁４０を経て室外膨張弁６の下流側の冷媒配管１３Ｅに至るようになる。このとき、室外膨張弁６は全閉とされているので、冷媒は室外熱交換器７に流入する。室外熱交換器７に流入した冷媒はそこで走行により、或いは、室外送風機１５にて通風される外気により空冷され、凝縮する。室外熱交換器７を出た冷媒は冷媒配管１３Ａから電磁弁１７を経てレシーバドライヤ部１４、過冷却部１６と順次流入する。ここで冷媒は過冷却される。
【００７６】
室外熱交換器７の過冷却部１６を出た冷媒は冷媒配管１３Ｂに入り、内部熱交換器１９を経て室内膨張弁８に至る。室内膨張弁８にて冷媒は減圧された後、吸熱器９に流入して蒸発する。このときの吸熱作用で室内送風機２７から吹き出された空気は冷却される。また、空気中の水分は吸熱器９に凝結して付着するので、空気流通路３内の空気は除湿される。吸熱器９で蒸発した冷媒は内部熱交換器１９を経て冷媒配管１３Ｃを介し、アキュムレータ１２に至り、そこを経て圧縮機２に吸い込まれる循環を繰り返す。このとき、室外膨張弁６は全閉とされているので、同様に圧縮機２から吐出された冷媒が室外膨張弁６から放熱器４に逆流入する不都合を抑制若しくは防止することが可能となる。これにより、冷媒循環量の低下を抑制若しくは解消して空調能力を確保することができるようになる。
【００７７】
ここで、前述した冷房モードでは放熱器４に高温の冷媒が流れているため、放熱器４からＨＶＡＣユニット１０への直接の熱伝導が少なからず生じるが、このＭＡＸ冷房モードでは放熱器４に冷媒が流れないため、放熱器４からＨＶＡＣユニット１０に伝達される熱で吸熱器９からの空気流通路３内の空気が加熱されることも無くなる。そのため、車室内の強力な冷房が行われ、特に外気温度Ｔａｍが高いような環境下では、迅速に車室内を冷房して快適な車室内空調を実現することができるようになる。また、このＭＡＸ冷房モードにおいても、ヒートポンプコントローラ３２は吸熱器温度センサ４８が検出する吸熱器９の温度（吸熱器温度Ｔｅ）とその目標値である前述した目標吸熱器温度ＴＥＯに基づいて圧縮機２の回転数ＮＣを制御する。
【００７８】
（６）補助ヒータ単独モード
尚、実施例の制御装置１１は室外熱交換器７に過着霜が生じた場合などに、冷媒回路Ｒの圧縮機２と室外送風機１５を停止し、補助ヒータ２３に通電してこの補助ヒータ２３のみで車室内を暖房する補助ヒータ単独モードを有している。この場合にも、ヒートポンプコントローラ３２は補助ヒータ温度センサ５０Ｄｒの検出値ＴｐｔｃＤｒと補助ヒータ温度センサ５０Ａｓの検出値ＴｐｔｃＡｓの平均値を補助ヒータ温度Ｔｐｔｃとし、この補助ヒータ温度Ｔｐｔｃと前述した目標ヒータ温度ＴＣＯに基づいて補助ヒータ２３の通電（発熱）を制御する。
【００７９】
また、空調コントローラ２０は室内送風機２７を運転し、エアミックスダンパ２８Ｄｒ、２８Ａｓは、室内送風機２７から吹き出された空気流通路３内の空気を暖房用熱交換通路３Ａの補助ヒータ２３に通風し、風量を調整する状態とする。補助ヒータ２３にて加熱された空気が各吹出口２９Ａ〜２９Ｃから車室内に吹き出されるので、これにより車室内の暖房が行われることになる。
【００８０】
（７）運転モードの切換
空調コントローラ２０は、下記式（Ｉ）から前述した目標吹出温度ＴＡＯを算出する。この目標吹出温度ＴＡＯは、車室内に吹き出される空気の温度の目標値である。
ＴＡＯ＝（Ｔｓｅｔ−Ｔｉｎ）×Ｋ＋Ｔｂａｌ（ｆ（Ｔｓｅｔ、ＳＵＮ、Ｔａｍ））
・・（Ｉ）
ここで、Ｔｓｅｔは空調操作部５３で設定された車室内の設定温度、Ｔｉｎは内気温度センサ３７が検出する内気温度、Ｋは係数、Ｔｂａｌは設定温度Ｔｓｅｔや、日射センサ５１が検出する日射量ＳＵＮ、外気温度センサ３３が検出する外気温度Ｔａｍから算出されるバランス値である。そして、一般的に、この目標吹出温度ＴＡＯは外気温度Ｔａｍが低い程高く、外気温度Ｔａｍが上昇するに伴って低下する。
【００８１】
ヒートポンプコントローラ３２は、起動時には空調コントローラ２０から車両通信バス６５を介して送信される外気温度Ｔａｍ（外気温度センサ３３が検出する）と目標吹出温度ＴＡＯとに基づいて上記各運転モードのうちの何れかの運転モードを選択すると共に、各運転モードを車両通信バス６５を介して空調コントローラ２０に送信する。また、起動後は外気温度Ｔａｍ、車室内の湿度、目標吹出温度ＴＡＯ、後述する加熱温度ＴＨ（放熱器４の風下側の空気の温度。推定値）、目標ヒータ温度ＴＣＯ、吸熱器温度Ｔｅ、目標吸熱器温度ＴＥＯ、車室内の除湿要求の有無、等のパラメータに基づいて各運転モードの切り換えを行うことで、環境条件や除湿の要否に応じて的確に暖房モード、除湿暖房モード、除湿冷房モード、冷房モード、ＭＡＸ冷房モード及び補助ヒータ単独モードを切り換えて車室内に吹き出される空気の温度を目標吹出温度ＴＡＯに制御し、快適且つ効率的な車室内空調を実現するものである。尚、除湿暖房モードから暖房モードへの移行制御について後に詳述する。
【００８２】
ここで、上記加熱温度ＴＨは、放熱器４の風下側の空気の温度であり、ヒートポンプコントローラ３２が下記に示す一次遅れ演算の式（ＩＩ）から推定する。
ＴＨ＝（ＩＮＴＬ１×ＴＨ０＋Ｔａｕ１×ＴＨｚ）／（Ｔａｕ１＋ＩＮＴＬ１）
・・（ＩＩ）
ここで、ＩＮＴＬ１は演算周期（定数）、Ｔａｕ１は一次遅れの時定数、ＴＨ０は一次遅れ演算前の定常状態における加熱温度ＴＨの定常値、ＴＨｚは加熱温度ＴＨの前回値である。このように加熱温度ＴＨを推定することで、格別な温度センサを設ける必要がなくなる。また、ヒートポンプコントローラ３２は前述した運転モードによって上記時定数Ｔａｕ１及び定常値ＴＨ０を変更することにより、上述した推定式（ＩＩ）を運転モードによって異なるものとし、加熱温度ＴＨを推定する。そして、この加熱温度ＴＨは車両通信バス６５を介して空調コントローラ２０に送信される。
【００８３】
（８）吸熱器吸込空気温度Ｔｅｖａｉｎに基づく除湿暖房モードから暖房モードへの移行制御
次に、図４を参照しながらヒートポンプコントローラ３２による除湿暖房モードから暖房モードへの移行制御について説明する。ヒートポンプコントローラ３２は、本発明では吸熱器９に流入する空気の温度（吸熱器吸込空気温度Ｔｅｖａｉｎ）と目標吸熱器温度ＴＥＯに基づいて除湿暖房モードから暖房モードへの移行制御を行う。
【００８４】
（８−１）吸熱器吸込空気温度Ｔｅｖａｉｎの推定（算出）
また、この実施例では吸熱器９に流入する空気の温度を検出する温度センサは設けていないので、ヒートポンプコントローラ３２は前述した内外気比率ＲＥＣｒａｔｅを用いて吸熱器吸込空気温度Ｔｅｖａｉｎを推定する。先ず、この吸熱器吸込空気温度Ｔｅｖａｉｎの推定（算出）について説明する。
【００８５】
実施例の場合、空気流通路３に流通される空気の外気と内気の比率（内外気比率ＲＥＣｒａｔｅ）が変化すると、吸熱器９に流入する空気の温度（吸熱器吸込空気温度Ｔｅｖａｉｎ）が変化する。そこで、ヒートポンプコントローラ３２は、内外気比率ＲＥＣｒａｔｅに基づき、下記式（ＩＩＩ）、（ＩＶ）を用いて、吸熱器吸込空気温度Ｔｅｖａｉｎを算出し、推定する。
Ｔｅｖａｉｎ＝（ＩＮＴＬ２×Ｔｅｖａｉｎ０＋Ｔａｕ２×Ｔｅｖａｉｎｚ）／（Ｔａｕ２＋ＩＮＴＬ２）
・・（ＩＩＩ）
Ｔｅｖａｉｎ０＝Ｔａｍ×（１−ＲＥＣｒａｔｅ×Ｅ１）＋Ｔｉｎ×ＲＥＣｒａｔｅ×Ｅ１＋Ｈ１
・・（ＩＶ）
ここで、ＩＮＴＬ２は演算周期（定数）、Ｔａｕ２は一次遅れの時定数、Ｔｅｖａｉｎ０は一次遅れ演算前の定常状態における吸熱器吸込空気温度Ｔｅｖａｉｎの定常値、Ｔｅｖａｉｎｚは吸熱器吸込空気温度Ｔｅｖａｉｎの前回値である。また、Ｔａｍは外気温度、Ｔｉｎは内気温度、Ｅ１は吸込切換ダンパ２６の構造的バラツキや停止位置のバラツキに伴う調整誤差（補正項）、Ｈ１は室内送風機２７からの受熱量（運転して発熱する室内送風機２７により空気が加熱される量：オフセット）である。
【００８６】
（８−２）除湿暖房モードから暖房モードへの移行
ここで、前述した如く除湿暖房モードでは補助ヒータ２３が発熱され、この補助ヒータ２３により、吸熱器９で冷却（除湿）した空気を加熱することになるため、暖房モードに比較して運転効率は悪化する。一方、吸熱器９に流入する空気の温度（吸熱器吸込空気温度Ｔｅｖａｉｎ）が目標吸熱器温度ＴＥＯより低くなっていれば、本来吸熱器９で車室内を除湿する必要はない。
【００８７】
そこで、ヒートポンプコントローラ３２は、上記の如く算出された吸熱器吸込空気温度Ｔｅｖａｉｎと目標吸熱器温度ＴＥＯに基づいて除湿暖房モードから暖房モードへの切り換えを行う。具体的には図４を用いて説明する。図４は実施例のヒートポンプコントローラ３２による除湿暖房モードから暖房モードに移行する制御を説明するために、除湿暖房モードから暖房モードに切り換わる際の圧縮機２の回転数ＮＣの目標値（目標回転数）と吸熱器温度Ｔｅ、目標吸熱器温度ＴＥＯ、及び、吸熱器吸込空気温度Ｔｅｖａｉｎの変化を示している。
【００８８】
除湿暖房モードでは、前述した如くヒートポンプコントローラ３２は吸熱器温度Ｔｅと目標吸熱器温度ＴＥＯに基づいて圧縮機２の回転数ＮＣを制御している。この除湿暖房モード中に吸込切換ダンパ２６による内外気比率ＲＥＣｒａｔｅが変更されると、吸熱器温度Ｔｅが徐々に低下し始めるが、吸熱器吸込空気温度Ｔｅｖａｉｎは急激に低下する。
【００８９】
そして、図４の時刻ｔ１で吸熱器吸込空気温度Ｔｅｖａｉｎが目標吸熱器温度ＴＥＯより所定値α低い温度（ＴＥＯ−α）より低くなったものとすると、ヒートポンプコントローラ３２はこの時点からタイマをカウントする。尚、その後、吸熱器温度Ｔｅが低下して目標吸熱器温度ＴＥＯより低くなるとヒートポンプコントローラ３２は圧縮機２を運転（ＯＮ）している状態から停止する（ＯＦＦ）。そして、時刻ｔ１で（Ｔｅｖａｉｎ＜（ＴＥＯ−α））となってから、その状態が所定時間Ｔ１継続した場合、ヒートポンプコントローラ３２は運転モードは除湿暖房モードから暖房モードに切り換える。
【００９０】
即ち、本発明ではヒートポンプコントローラ３２は、除湿暖房モードにおいて吸熱器吸込空気温度Ｔｅｖａｉｎが目標吸熱器温度ＴＥＯ−所定値αより低くなった状態（Ｔｅｖａｉｎ＜（ＴＥＯ−α）が所定時間Ｔ１継続した場合、車室内の除湿が不要と判断して暖房モードに切り換える。
【００９１】
尚、その後、吸熱器温度Ｔｅが目標吸熱器温度ＴＥＯ＋所定値β（ＴＥＯ＋β）より高くなった状態が所定時間Ｔ１継続した場合、空調操作部５３に設けられた車両用空気調和装置１の動作ボタン（Ａ／Ｃボタン）がＯＮしていること（車室内の除湿要求有り）を条件として、ヒートポンプコントローラ３２は暖房モードから除湿暖房モードに切り換える。
【００９２】
このように、本発明ではヒートポンプコントローラ３２が、吸熱器９に流入する空気の温度である吸熱器吸込空気温度Ｔｅｖａｉｎが、吸熱器温度Ｔｅの目標値である目標吸熱器温度ＴＥＯより低くなったことに基づいて、除湿暖房モード（除湿モード）から暖房モードに移行するようにしたので、従来の如く吸熱器温度Ｔｅが目標吸熱器温度ＴＥＯより低くなっていなくとも、吸熱器吸込空気温度Ｔｅｖａｉｎが目標吸熱器温度ＴＥＯより低くなったことで、除湿暖房モードは暖房モードに切り換えられるようになる。
【００９３】
これにより、従来に比して早期に車室内の除湿不要判断を行い、運転効率の悪い除湿暖房モードから運転効率が良くなる暖房モードに迅速に移行することができるようになるので、消費電力の削減を図ることができるようになり、特にバッテリで駆動される車両用空気調和装置１において極めて好適なものとなる。
【００９４】
特に、実施例ではヒートポンプコントローラ３２が、吸熱器吸込空気温度Ｔｅｖａｉｎが、目標吸熱器温度ＴＥＯ−所定値αより低くなった状態（Ｔｅｖａｉｎ＜ＴＥＯ−α）が所定時間Ｔ１継続した場合、除湿暖房モードから暖房モードに移行するようにしているので、適切に除湿暖房モードから暖房モードへの切り換えを行うことができるようになる。
【００９５】
また、実施例ではヒートポンプコントローラ３２が、吸込切換ダンパ２６により調整される外気と内気の比率（内外気比率ＲＥＣｒａｔｅ）に基づき、吸熱器吸込空気温度Ｔｅｖａｉｎを推定するようにしていうので、格別な温度センサを設けること無く、吸熱器吸込空気温度Ｔｅｖａｉｎを推定して除湿暖房モードから暖房モードへの移行を行うことができるようになる。
【００９６】
ここで、外気と内気の比率（内外気比率ＲＥＣｒａｔｅ）が変化した場合、吸熱器吸込空気温度Ｔｅｖａｉｎに反映されるまでは或る程度時間がかかる。即ち、外気と内気の比率が変化しても吸熱器吸込空気温度Ｔｅｖａｉｎは直ぐに変化するものでは無いが、実施例ではヒートポンプコントローラ３２が、外気と内気の比率に基づく一次遅れ演算により吸熱器吸込空気温度Ｔｅｖａｉｎを算出するようにしているので、実際の吸熱器吸込空気温度Ｔｅｖａｉｎの変化に合わせて除湿暖房モードから暖房モードへの移行を行うことができるようになる。
【００９７】
また、実施例ではヒートポンプコントローラ３２が、室内送風機２７からの受熱量Ｈ１や吸込切換ダンパ２６における調整誤差Ｅ１に基づき、吸熱器吸込空気温度Ｔｅｖａｉｎを補正するようにしているので、より精度良く吸熱器吸込空気温度Ｔｅｖａｉｎを推定することができるようになる。
【００９８】
尚、前述した実施例では室内送風機２７からの受熱量Ｈ１と吸込切換ダンパ２６における調整誤差Ｅ１の双方に基づいて吸熱器吸込空気温度Ｔｅｖａｉｎを補正したが、それに限らず、何れか一方を用いて補正するようにしてもよい。
【００９９】
また、実施例では外気と内気の比率（内外気比率ＲＥＣｒａｔｅ）に基づいて吸熱器吸込空気温度Ｔｅｖａｉｎを推定するようにしたが、図２中に破線で示す如く、吸熱器９の空気流入側に吸熱器吸込温度Ｔｅｖａｉｎを検出する吸熱器吸込温度センサ７１を設けた場合には、当該吸熱器吸込温度センサ７１が検出する吸熱器吸込温度Ｔｅｖａｉｎに基づいて除湿暖房モードから暖房モードへの移行制御を実施すればよい。
【実施例２】
【０１００】
次に、図５は本発明を適用可能な他の実施例の車両用空気調和装置１の構成図を示している。尚、この図において図１と同一符号で示すものは同一若しくは同様の機能を奏するものである。この実施例の場合、過冷却部１６の出口は逆止弁１８に接続され、この逆止弁１８の出口が冷媒配管１３Ｂに接続されている。尚、逆止弁１８は冷媒配管１３Ｂ（室内膨張弁８）側が順方向とされている。
【０１０１】
また、放熱器４の出口側の冷媒配管１３Ｅは室外膨張弁６の手前で分岐しており、この分岐した冷媒配管（以下、バイパス回路と称する）１３Ｆは電磁弁２２（除湿用）を介して逆止弁１８の下流側の冷媒配管１３Ｂに連通接続されている。更に、吸熱器９の出口側の冷媒配管１３Ｃには、内部熱交換器１９の冷媒下流側であって、冷媒配管１３Ｄとの合流点より冷媒上流側に蒸発圧力調整弁７０が接続されている。
【０１０２】
そして、これら電磁弁２２や蒸発圧力調整弁７０もヒートポンプコントローラ３２の出力に接続されて制御される。尚、前述の実施例の図１中のバイパス配管３５、電磁弁３０及び電磁弁４０から成るバイパス装置４５は設けられていない。その他は図１と同様であるので説明を省略する。
【０１０３】
以上の構成で、この実施例の車両用空気調和装置１の動作を説明する。ヒートポンプコントローラ３２はこの実施例では、暖房モード、除湿暖房モード（除湿モード）、内部サイクルモード、除湿冷房モード、冷房モード及び補助ヒータ単独モードの各運転モードを切り換えて実行する（ＭＡＸ冷房モードはこの実施例では存在しない）。
【０１０４】
尚、暖房モード、除湿冷房モード及び冷房モードが選択されたときの動作及び冷媒の流れと、補助ヒータ単独モードは前述の実施例（実施例１）の場合と同様であるので説明を省略する。但し、この実施例（実施例２）ではこれら暖房モード、除湿冷房モード及び冷房モードにおいては電磁弁２２を閉じるものとする。
【０１０５】
（９）図５の車両用空気調和装置１の除湿暖房モード（除湿モード）
他方、本発明における除湿モードとしてのこの場合の除湿暖房モードが選択された場合、この実施例（実施例２）ではヒートポンプコントローラ３２は電磁弁２１（暖房用）を開放し、電磁弁１７（冷房用）を閉じる。また、電磁弁２２（除湿用）を開放する。そして、圧縮機２を運転する。空調コントローラ２０は各送風機１５、２７を運転し、エアミックスダンパ２８は、基本的には室内送風機２７から吹き出されて吸熱器９を経た空気流通路３内の全て空気を暖房用熱交換通路３Ａの補助ヒータ２３及び放熱器４に通風する状態とするが、風量の調整も行う。
【０１０６】
これにより、圧縮機２から吐出された高温高圧のガス冷媒は冷媒配管１３Ｇから放熱器４に流入する。放熱器４には暖房用熱交換通路３Ａに流入した空気流通路３内の空気が通風されるので、空気流通路３内の空気は放熱器４内の高温冷媒により加熱され、一方、放熱器４内の冷媒は空気に熱を奪われて冷却され、凝縮液化する。
【０１０７】
放熱器４内で液化した冷媒は当該放熱器４を出た後、冷媒配管１３Ｅを経て室外膨張弁６に至る。室外膨張弁６に流入した冷媒はそこで減圧された後、室外熱交換器７に流入する。室外熱交換器７に流入した冷媒は蒸発し、走行により、或いは、室外送風機１５にて通風される外気中から熱を汲み上げる。即ち、冷媒回路Ｒがヒートポンプとなる。そして、室外熱交換器７を出た低温の冷媒は冷媒配管１３Ａ、電磁弁２１及び冷媒配管１３Ｄを経て冷媒配管１３Ｃからアキュムレータ１２に入り、そこで気液分離された後、ガス冷媒が圧縮機２に吸い込まれる循環を繰り返す。
【０１０８】
また、放熱器４を経て冷媒配管１３Ｅを流れる凝縮冷媒の一部は分流され、電磁弁２２を経てバイパス回路１３Ｆ及び冷媒配管１３Ｂより内部熱交換器１９を経て室内膨張弁８に至るようになる。室内膨張弁８にて冷媒は減圧された後、吸熱器９に流入して蒸発する。このときの吸熱作用で室内送風機２７から吹き出された空気中の水分が吸熱器９に凝結して付着するので、空気は冷却され、且つ、除湿される。
【０１０９】
吸熱器９で蒸発した冷媒は、内部熱交換器１９、蒸発圧力調整弁７０を順次経て冷媒配管１３Ｃにて冷媒配管１３Ｄからの冷媒と合流した後、アキュムレータ１２を経て圧縮機２に吸い込まれる循環を繰り返す。吸熱器９にて除湿された空気は放熱器４を通過する過程で再加熱されるので、これにより車室内の除湿暖房が行われることになる。
【０１１０】
空調コントローラ２０は、目標吹出温度ＴＡＯから算出される目標ヒータ温度ＴＣＯ（加熱温度ＴＨの目標値）をヒートポンプコントローラ３２に送信する。ヒートポンプコントローラ３２は、吸熱器温度Ｔｅと、目標吸熱器温度ＴＥＯに基づいて圧縮機２の回転数ＮＣを制御する。また、ヒートポンプコントローラ３２は、吸熱器温度Ｔｅと、目標吸熱器温度ＴＥＯに基づいて室外膨張弁６の弁開度を制御する。更に、ヒートポンプコントローラ３２は吸熱器温度Ｔｅに基づき、蒸発圧力調整弁７０を開（流路を拡大する）／閉（少許冷媒が流れる）して吸熱器９の温度が下がり過ぎて凍結する不都合を防止する。
【０１１１】
（１０）図５の車両用空気調和装置１の内部サイクルモード
また、内部サイクルモードでは、ヒートポンプコントローラ３２は上記除湿暖房モードの状態において室外膨張弁６を全閉とする（全閉位置）と共に、電磁弁２１を閉じる。この室外膨張弁６と電磁弁２１が閉じられることにより、室外熱交換器７への冷媒の流入、及び、室外熱交換器７からの冷媒の流出は阻止されることになるので、放熱器４を経て冷媒配管１３Ｅを流れる凝縮冷媒は電磁弁２２を経てバイパス回路１３Ｆに全て流れるようになる。そして、バイパス回路１３Ｆを流れる冷媒は冷媒配管１３Ｂより内部熱交換器１９を経て室内膨張弁８に至る。室内膨張弁８にて冷媒は減圧された後、吸熱器９に流入して蒸発する。このときの吸熱作用で室内送風機２７から吹き出された空気中の水分が吸熱器９に凝結して付着するので、空気は冷却され、且つ、除湿される。
【０１１２】
吸熱器９で蒸発した冷媒は、内部熱交換器１９、蒸発圧力調整弁７０を順次経て冷媒配管１３Ｃを流れ、アキュムレータ１２を経て圧縮機２に吸い込まれる循環を繰り返す。吸熱器９にて除湿された空気は放熱器４を通過する過程で再加熱されるので、これにより、車室内の除湿暖房が行われることになるが、この内部サイクルモードでは室内側の空気流通路３内にある放熱器４（放熱）と吸熱器９（吸熱）の間で冷媒が循環されることになるので、外気からの熱の汲み上げは行われず、圧縮機２の消費動力分の暖房能力が発揮される。除湿作用を発揮する吸熱器９には冷媒の全量が流れるので、上記除湿暖房モードに比較すると除湿能力は高いが、暖房能力は低くなる。このヒートポンプコントローラ３２による圧縮機２の制御は除湿暖房モードと同様である。
【０１１３】
そして、この実施例の場合にも前述した実施例（実施例１）の（８）と同様にヒートポンプコントローラ３２より、吸熱器９に流入する空気の温度である吸熱器吸込空気温度Ｔｅｖａｉｎが、吸熱器温度Ｔｅの目標値である目標吸熱器温度ＴＥＯより低くなったことに基づいて、除湿暖房モードから暖房モードに移行するようにすれば、従来の如く吸熱器温度Ｔｅが目標吸熱器温度ＴＥＯより低くなっていなくとも、吸熱器吸込空気温度Ｔｅｖａｉｎが目標吸熱器温度ＴＥＯより低くなったことで、除湿暖房モードは暖房モードに切り換えられるようになる。
【０１１４】
これにより、従来に比して早期に車室内の除湿不要判断を行い、運転効率の悪い除湿暖房モードから運転効率が良くなる暖房モードに迅速に移行することができるようになるので、消費電力の削減を図ることができるようになる。
【０１１５】
尚、上記各実施例では除湿暖房モードや除湿冷房モード、内部サイクルモード等で車室内を除湿できる車両用空気調和装置１に本発明を適用したが、それに限らず、除湿暖房モードのみを除湿モードとして実施するものでもよい。また、各実施例で示した制御に用いるパラメータや数値等はそれに限られるものでは無く、本発明の趣旨を逸脱しない範囲で、適用する装置に応じて適宜選択／設定すべきものである。
【符号の説明】
【０１１６】
１  車両用空気調和装置
２  圧縮機
３  空気流通路
４  放熱器
６  室外膨張弁
７  室外熱交換器
８  室内膨張弁
９  吸熱器
１０  ＨＶＡＣユニット
１１  制御装置
２０  空調コントローラ
２３  補助ヒータ（補助加熱装置）
２５Ａ  外気吸込口
２５Ｂ  内気吸込口
２６  吸込切換ダンパ
２７  室内送風機（ブロワファン）
３２  ヒートポンプコントローラ
４５  バイパス装置
４８  吸熱器温度センサ
Ｒ  冷媒回路
【図１】
2019031226.tif 000003
【図２】
2019031226.tif 000004
【図３】
2019031226.tif 000005
【図４】
2019031226.tif 000006
【図５】
2019031226.tif 000007
【図６】
2019031226.tif 000008